(57)【要約】【課題】本体に設けた操作部の操作ボタンや表示ＬＥＤを明確に区画し、操作部の操作ボタンや表示ＬＥＤを簡素で見易い配置とし、運転時の操作性を良好とする。【解決手段】本体１内の通風路２に設けた浄化フィルター４および遠心送風機５と、空気の汚れセンサー７の検出値に応じて遠心送風機５の運転を制御する制御部８と、制御部８に設けたスイッチ操作部９を有し、スイッチ操作部９は、本体１の天面に露出して設けた自動運転、手動運転および運転停止を切り換えるワンボタン部１０と、ワンボタン部１０に隣接して設けた手動運転時に使用する複数の手動ボタン部１１からなり、手動ボタン部１１は開閉可能な透明または半透明なスイッチカバー１２で覆われることにより、自動運転や手動運転などの切り換え操作を簡単かつ確実に行ない、すっきりしたデザインの空気清浄機を提供できる。【選択図】図１
2009214026.tif 000002
【特許請求の範囲】
【請求項１】
本体内を貫通する通風路の吸気側に設けた吸込口と、前記通風路に設けた浄化フィルターおよび遠心送風機と、この遠心送風機の吐出側で、かつ前記本体の天面側に設けた吹出口と、空気中の汚れを検知する汚れセンサーと、この汚れセンサーの検出値に応じて前記遠心送風機の運転を制御する制御部と、この制御部に設けたスイッチ部を操作するスイッチ操作部を有し、このスイッチ操作部は、前記本体の天面に露出して設けた自動運転、手動運転および運転停止を切り換えるワンボタン部と、このワンボタン部に隣接して設けた手動運転時に使用する複数の手動ボタン部からなり、この手動ボタン部は開閉可能な透明または半透明なスイッチカバーで覆われてなる空気清浄機。
【請求項２】
制御部に前記遠心送風機の運転状況を段階的に表示する複数のＬＥＤを設け、このＬＥＤをスイッチカバーの下方に配置し、このスイッチカバーは前記ＬＥＤの点灯が視認しやすい表面加工を施してなる請求項１記載の空気清浄機。
【請求項３】
ワンボタン部の操作により、制御部は自動運転、手動運転および運転停止の順に運転モードを切り換え可能とするとともに、スイッチカバーの下方に設けた自動運転ＬＥＤの点灯または消灯表示により、切り換えた運転モードを確認可能とした請求項２記載の空気清浄機。
【請求項４】
スイッチカバーの開閉を検出する開閉検出手段を設け、この開閉検出手段がスイッチカバーの開閉を検出することなくワンボタン部が繰り返し操作された場合に、制御部は遠心送風機を停止してなる請求項１〜３のいずれかに記載の空気清浄機。
【請求項５】
運転モードを自動運転としている場合に、ワンボタン部の操作により手動運転に切り換えたときは、自動運転中の遠心送風機の風量を大小逆に切り換えた手動運転としてなる請求項３記載の空気清浄機。
【請求項６】
自動運転中にワンボタン部を長押しすることにより、手動運転に切り換わるとともに遠心送風機の風量を順送りし、かつＬＥＤも順送りして表示する請求項１〜４のいずれかに記載の空気清浄機。
【請求項７】
本体に室内の明るさを検出する光センサーを備え、この光センサーが夜間の消灯状態を検出したときは、汚れセンサーの検出値に関わらず遠心送風機を弱運転してなる請求項１記載の空気清浄機。
【請求項８】
本体に人の存在を赤外線で検出する人感センサーを備え、汚れセンサーが汚れを検出している場合で、かつ前記人感センサーで人を検出しないときは、遠心送風機の送風量を増やして自動運転する請求項１記載の空気清浄機。
【請求項９】
本体に複数のセンサーを備え、自動運転中にスイッチカバーを開いて手動ボタン部を操作することにより、各々のセンサーの検出状態を、ＬＥＤの発光色の違いで表示可能とした請求項１記載の空気清浄機。
【請求項１０】
自動運転中に手動ボタン部を操作することにより、複数のセンサーに関連させた複数のＬＥＤを個々に点灯または消灯させて、各ＬＥＤに対応するセンサーの使用または不使用を選択して運転可能とした請求項１記載の空気清浄機。
【発明の詳細な説明】
【技術分野】
【０００１】
本発明は、室内の汚染空気を清浄化する空気清浄機に関する。
【背景技術】
【０００２】
従来、この種の空気清浄機は、汚れセンサーによる自動運転と、汚れセンサーを使用しない手動運転を、操作ボタンで切り換えて運転できるものが知られている。
【０００３】
以下、その空気清浄機の１つである空調機器について、図８および図９を参照しながら説明する。
【０００４】
図８に示すように、空調機器の運転が停止状態にあるときは、操作部５４の「運転入／切」ボタン２００が押されると、「自動運転モード」での運転が開始され、「自動運転」ランプ２１１が点灯する。
【０００５】
つぎに空調機器の運転中、「運転切換」ボタン２０１が押されると、押される毎に運転モードが「自動運転モード」→「静音運転モード」→「風量弱運転モード」→「風量中運転モード」→「風量強運転モード」→「急速運転モード」→「たばこ運転モード」→「花粉運転モード」→「自動運転モード」と切り換わって行く。それに伴い、点灯するランプも「自動運転」ランプ２１１、「静音運転」ランプ２１２、「弱運転」ランプ２１３、「中運転」ランプ２１４、「強運転」ランプ２１５、「急速運転」ランプ２１６、「たばこ運転」ランプ２１７、「花粉運転」ランプ２１８、と順次切り換わる。
【０００６】
なお、「たばこ運転モード」では「風量強運転モード」での運転を一定時間行った後、「自動運転モード」での運転を行う。最初「風量強」で一定時間運転し、いったん室内空気の汚染度レベルを下げておいてから、塵埃や臭い（この場合はたばこの煙や臭い）に応じてモータ５６の回転数を変化させるという自動運転に移るものである。
【０００７】
「花粉運転モード」では「風量強運転モード」での運転を一定時間行った後、「風量弱運転モード」と「風量強運転モード」を一定時間毎に切り換えて繰り返し運転を行うものである。
【特許文献１】特開２００２−３１９４７２号公報
【発明の開示】
【発明が解決しようとする課題】
【０００８】
このような従来の空気清浄機では、本体に設けた操作部の「運転入／切」ボタンと「運転切換」ボタンの機能が分かり難く、また操作ボタンと表示ＬＥＤが操作部に混在しているため、運転操作時に使用者が操作ボタンの選定に手間取ることとなり、操作性がよくないという課題があり、またセンサーを用いた自動運転とセンサーを使用しない手動運転を、意識的に区別して使い分けできる操作方法や設定方法とはなっていないため、使用者や点検者が不便を感じることがあるという課題がある。
【０００９】
本発明は、このような従来の課題を解決するものであり、本体に設けた操作部の操作ボタンと表示ＬＥＤを簡素で見易い配置として操作性を改善し、自動運転時と手動運転時の操作が明確に区別して実施され、表示させるとともに、自動運転時の表示と変更操作が簡単かつ明確にできる空気清浄機を提供することを目的とする。
【課題を解決するための手段】
【００１０】
本発明の空気清浄機は、上記目的を達成するために、本体内を貫通する通風路の吸気側に設けた吸込口と、前記通風路に設けた浄化フィルターおよび遠心送風機と、この遠心送風機の吐出側で、かつ前記本体の天面側に設けた吹出口と、空気中の汚れを検知する汚れセンサーと、この汚れセンサーの検出値に応じて前記遠心送風機の運転を制御する制御部と、この制御部に設けたスイッチ部を操作するスイッチ操作部を有し、このスイッチ操作部は、前記本体の天面に露出して設けた自動運転、手動運転および運転停止を切り換えるワンボタン部と、このワンボタン部に隣接して設けた手動運転時に使用する複数の手動ボタン部からなり、この手動ボタン部は開閉可能な透明または半透明なスイッチカバーで覆われてなるものである。
【００１１】
また、他の手段は、制御部に前記遠心送風機の運転状況を段階的に表示する複数のＬＥＤを設け、このＬＥＤをスイッチカバーの下方に配置し、このスイッチカバーは前記ＬＥＤの点灯が視認しやすい表面加工を施してなるものである。
【００１２】
また、他の手段は、ワンボタン部の操作により、制御部は自動運転、手動運転および運転停止の順に運転モードを切り換え可能とするとともに、スイッチカバーの下方に設けた自動運転ＬＥＤの点灯または消灯表示により、切り換えた運転モードを確認可能としたものである。
【００１３】
また、他の手段は、スイッチカバーの開閉を検出する開閉検出手段を設け、この開閉検出手段がスイッチカバーの開閉を検出することなくワンボタン部が繰り返し操作された場合に、制御部は遠心送風機を停止してなるものである。
【００１４】
また、他の手段は、運転モードを自動運転としている場合に、ワンボタン部の操作により手動運転に切り換えたときは、自動運転中の遠心送風機の風量を大小逆に切り換えた手動運転としてなるものである。
【００１５】
また、他の手段は、自動運転中にワンボタン部を長押しすることにより、手動運転に切り換わるとともに遠心送風機の風量を順送りし、かつＬＥＤも順送りして表示するものである。
【００１６】
また、他の手段は、本体に室内の明るさを検出する光センサーを備え、この光センサーが夜間の消灯状態を検出したときは、汚れセンサーの検出値に関わらず遠心送風機を弱運転してなるものである。
【００１７】
また、他の手段は、本体に人の存在を赤外線で検出する人感センサーを備え、汚れセンサーが汚れを検出している場合で、かつ前記人感センサーで人を検出しないときは、遠心送風機の送風量を増やして自動運転するものである。
【００１８】
また、他の手段は、本体に複数のセンサーを備え、自動運転中にスイッチカバーを開いて手動ボタン部を操作することにより、各々のセンサーの検出状態を、ＬＥＤの発光色の違いで表示可能としたものである。
【００１９】
また、他の手段は、自動運転中に手動ボタン部を操作することにより、複数のセンサーに関連させた複数のＬＥＤを個々に点灯または消灯させて、各ＬＥＤに対応するセンサーの使用または不使用を選択して運転可能としたものである。
【発明の効果】
【００２０】
本発明によれば、本体の天面に露出するワンボタン部を設けることにより、使用者が最初の操作に迷いやミスをすることがなく、自動運転や手動運転などの切り換え操作を簡単かつ確実に行なうことができ、手動運転の操作部を覆うスイッチカバーを開ければ、手動ボタン部の操作が可能であり、本体天面のスイッチ操作部を簡素化することにより、すっきりしたデザインで、室内のインテリアに相応しい外観形状を実現できるという効果のある空気清浄機を提供することができる。
【００２１】
また、収納操作部を覆う透明なスイッチカバーに、スモーク加工またはシルクルーフミラーなどの表面処理を施すことにより、スイッチカバーが反射光を防止することができ、外光の影響が及ばないようにして、スイッチカバーの下方に配置されたＬＥＤの発光を、使用者がそのまま目視確認することができる。
【００２２】
また、ワンボタン部の操作により自動運転が選択されたときは、汚れセンサーの検出値に応じて遠心送風機の風量を自動的に変更することができ、手動運転が選択されたときは、スイッチカバーを開いてスイッチ操作部を使用して目的の風量に調整でき、用途に応じた運転がＬＥＤを確認しながら選択することができる。
【００２３】
また、ワンボタン部の操作により手動運転が選択された場合に、スイッチカバーが開閉されずにワンボタン部が繰り返し操作されるような不正規の使用が繰り返し行なわれたときは、制御部は不正規の使用状況と判断して、遠心送風機の運転を即座に停止して、空気清浄機が故障しないように自動的に保護することができる。
【００２４】
また、ワンボタン部の操作により手動運転に切り換えたときは、自動運転中の風量を大小逆に切り換えた手動運転に切り換わることにより、使用者がスイッチカバーを開けて操作する手間を省き、使い勝手のよい空気清浄機を提供することができる。
【００２５】
また、手動運転の操作がワンボタン部の長押し操作で行なうことができ、使用者がスイッチカバーを開けて操作するという手間を省いた、使い勝手のよい空気清浄機を提供することができる。
【００２６】
また、睡眠のため照明を消灯したときには光センサーが夜間の消灯状態を検出して、汚れセンサーの検出値にかかわらず、弱ノッチにて運転を行い、静かな運転の空気清浄機を提供することができる。
【００２７】
また、汚れセンサーにて自動運転している場合に、人感センサーで人体を検出ないとき、風量を増加することにより、騒音は大きくなるが室内に人がいないので影響はほとんどなく、室内の空気汚れを短時間で浄化することができる。
【００２８】
また、自動運転中に手動ボタン部を操作することにより、本体に備えた各々のセンサーの動作状況を、ＬＥＤで発光色の違いで表示できるようにして、センサーの検出値の変化を目視確認できるとともに、メンテナンス時などに検出条件を変えた確認作業が、通常使用するＬＥＤを流用して省スペース化が可能で、簡単な操作で実施できる。
【００２９】
また、自動運転中に手動ボタン部の操作により、複数のセンサーのいずれかを選択して、簡易的にセンシング機能を停止することができ、空気清浄機の使用状況や使用者の好みに合わせたセンサーの要否が選択できるので、快適性を向上した自動運転ができる空気清浄機を提供することができる。
【発明を実施するための最良の形態】
【００３０】
本発明の請求項１記載の空気清浄機は、本体内を貫通する通風路の吸気側に設けた吸込口と、前記通風路に設けた浄化フィルターおよび遠心送風機と、この遠心送風機の吐出側で、かつ前記本体の天面側に設けた吹出口と、空気中の汚れを検知する汚れセンサーと、この汚れセンサーの検出値に応じて前記遠心送風機の運転を制御する制御部と、この制御部に設けたスイッチ部を操作するスイッチ操作部を有し、このスイッチ操作部は、前記本体の天面に露出して設けた自動運転、手動運転および運転停止を切り換えるワンボタン部と、このワンボタン部に隣接して設けた手動運転時に使用する複数の手動ボタン部からなり、この手動ボタン部は開閉可能な透明または半透明なスイッチカバーで覆われてなる空気清浄機としたものであり、本体天面にワンボタン部を備え、ワンボタン部で自動運転・手動運転・運転停止の複数の切換操作を行うことができ、自動運転を選択したときは、汚れセンサーが検知するレベルに応じて制御部が遠心送風機を制御して風量を変化させ、手動運転を選択したときは、スイッチカバーを開いて複数の手動ボタン部を操作することにより、遠心送風機の風量を変化させることができる。このように本体の天面に露出するワンボタン部を設けることにより、使用者が最初の操作に迷いやミスをすることがなく、自動運転や手動運転などの切り換え操作を簡単かつ確実に行なうことができる。さらに手動運転のときのみ、スイッチカバーを開いて複数の手動ボタン部を操作する手順としているので、使用頻度の少ない手動運転の操作が、誤使用により煩雑に行なわれないように、スイッチカバーで覆うとともに、スイッチカバーを開ければ手動ボタン部の操作が可能であることを目視確認できることとなる。また、本体天面のスイッチ操作部を簡素化することにより、すっきりしたデザインの外観形状を実現し、室内のインテリアに相応した空気清浄機を提供することができるという作用を有する。
【００３１】
また、制御部に前記遠心送風機の運転状況を段階的に表示する複数のＬＥＤを設け、このＬＥＤをスイッチカバーの下方に配置し、このスイッチカバーは前記ＬＥＤの点灯が視認しやすい表面加工を施したものであり、収納操作部を覆う透明なスイッチカバーに、スモーク加工またはシルクルーフミラーなどの表面処理を施すことにより、スイッチカバーが室内照明などの反射を防止することができ、外光の影響が及ばないようにして、スイッチカバーの下方に配置されたＬＥＤの発光を、使用者がそのまま目視確認することができるので、空気清浄機の運転状況を正確に把握することができる。また手動運転を選択した場合に、スイッチカバーを開いて手動ボタン部を操作するときに、手動ボタン部に近接してＬＥＤが配置されるので、スイッチカバーに邪魔されずに、ＬＥＤの点灯を確認しながら手動ボタン部を操作することができるという作用を有する。
【００３２】
また、ワンボタン部の操作により、制御部は自動運転、手動運転および運転停止の順に運転モードを切り換え可能とするとともに、スイッチカバーの下方に設けた自動運転ＬＥＤの点灯または消灯表示により、切り換えた運転モードを確認可能としたものであり、ワンボタン部の操作により、自動運転が選択されたときは、スイッチカバーの下方に設けた自動運転ＬＥＤが点灯し、汚れセンサーの検出値に応じて遠心送風機の風量を自動的に変更することができ、手動運転が選択されたときは自動運転ＬＥＤが消灯し、スイッチカバーを開いて複数のスイッチ操作部を使用することによって目的の風量に調整できるものであり、運転停止が選択されたときは全てのＬＥＤが消灯して運転が停止するものであり、用途に応じた運転が自動運転ＬＥＤを確認しながら的確に選択することができるという作用を有する。
【００３３】
また、スイッチカバーの開閉を検出する開閉検出手段を設け、この開閉検出手段がスイッチカバーの開閉を検出することなくワンボタン部が繰り返し操作された場合に、制御部は遠心送風機を停止してなるものであり、ワンボタン部の操作により手動運転が選択されたときは、スイッチカバーを開いて手動ボタン部を操作したあとスイッチカバーを閉じるのが正規の手順であるが、スイッチカバーが開閉されずにワンボタン部が繰り返し操作されるような不正規の使用が繰り返し行なわれた場合は、遠心送風機がオンオフを繰り返すような使用状況となり、このとき制御部は、スイッチカバーの開閉検出手段として設けたリミットスイッチのオンオフ信号がないのに、ワンボタン部の繰り返し操作信号の単位時間あたりの発生頻度が設定した頻度以上であると判断して、遠心送風機の運転を即座に停止する。このように、子供の悪戯などで起こるワンボタン部の異常な繰り返し使用を回避することにより、空気清浄機が故障しないように自動的に保護することができるという作用を有する。
【００３４】
また、運転モードを自動運転としている場合に、ワンボタン部の操作により手動運転に切り換えたときは、自動運転中の遠心送風機の風量を大小逆に切り換えた手動運転としてなるものであり、自動運転中に使用者が手動運転に切り換えるときは、風量が大なる強運転の場合では風量を下げる弱運転を望み、逆に風量が少ない弱運転の場合では風量を上げる強運転に切り換えたいという使用者の意図があるため、ワンボタン部の操作により手動運転に切り換えたときは、自動運転中の遠心送風機の風量を大小逆に切り換えた手動運転の風量状態に切り換わることにより、使用者がスイッチカバーを開けて手動ボタン部を操作するという手間を省いた、使い勝手のよい空気清浄機を提供することができるという作用を有する。
【００３５】
また、自動運転中にワンボタン部を長押しすることにより、手動運転に切り換わるとともに遠心送風機の風量を順送りし、かつＬＥＤも順送りして表示するものであり、手動運転時に風量を切り換えるときに、スイッチカバーを開けて手動ボタン部を操作する必要となるが、自動運転中にワンボタン部を長押しすると手動運転に切り換わり、さらに遠心送風機の風量を順送りするとともにＬＥＤも順送りして表示することにより、手動運転の操作がワンボタン部の長押し操作で行なうことができ、使用者がスイッチカバーを開けて手動ボタン部を操作するという手間を省いた、使い勝手のよい空気清浄機を提供することができるという作用を有する。
【００３６】
また、本体に室内の明るさを検出する光センサーを備え、この光センサーが夜間の消灯状態を検出したときは、汚れセンサーの検出値に関わらず遠心送風機を弱運転してなるものであり、睡眠のため照明を消灯したときには室内の清浄を短期間で求めることは少なく、睡眠の妨げにならないような静かな運転が求められるので、光センサーが夜間の消灯状態を検出したときは、汚れセンサーの検出値に応じた風量変化をさせずに、弱ノッチにて運転を行う空気清浄機を提供することができるという作用を有する。
【００３７】
また、本体に人の存在を赤外線で検出する人感センサーを備え、汚れセンサーが汚れを検出している場合で、かつ前記人感センサーで人を検出しないときは、遠心送風機の送風量を増やして自動運転するものであり、汚れセンサーが汚れを検出して自動運転している場合に、人感センサーにて人体から放射する赤外線を検知ないとき、たとえば中ノッチで運転のときは、強ノッチ運転となるように風量を一段階増加して自動運転することにより、騒音は大きくなるが室内に人がいないので影響はほとんどなく、室内の空気汚れを短時間で浄化することができる。また、汚れセンサーが汚れを検出しなくなると、弱ノッチ運転または運転停止するようにしているという作用を有する。
【００３８】
また、本体に複数のセンサーを備え、自動運転中にスイッチカバーを開いて手動ボタン部を操作することにより、各々のセンサーの検出状態を、ＬＥＤの発光色の違いで表示可能としたものであり、本体に埃センサー、臭いセンサー、人感センサー、光センサーなどの複数のセンサーを備えることにより、室内環境や運転経過に合わせた適正な自動運転が可能となるが、自動運転中に手動ボタン部を操作することにより、各々のセンサーの動作状況をＬＥＤで簡易的に表示できるようにしている。すなわち、自動運転中にスイッチカバーを開いて、センサーに関連つけた手動ボタンのいずれかを操作することにより、選択したセンサーの検出状態を２色ＬＥＤまたは多色ＬＥＤの発光色の違い（赤、橙、緑など）で表示することができるものであり、室内環境や運転経過に応じたセンサーの検出値の変化を目視確認できるとともに、メンテナンス時などに検出条件を変えた確認作業が、簡単な操作で実施できるとともに、通常運転に使用するＬＥＤを流用して確認作業ができるという作用を有する。
【００３９】
また、自動運転中に手動ボタン部を操作することにより、複数のセンサーに関連させた複数のＬＥＤを個々に点灯または消灯させて、各ＬＥＤに対応するセンサーの要・不要を選択して運転可能としたものであり、本体に埃センサー、臭いセンサー、人感センサー、光センサーなどの複数のセンサーを備えている場合に、例えば犬や猫などのペットによる誤動作を防ぐ目的で人感センサーが働かないようにするときは、自動運転中にスイッチカバーを開いて、手動ボタンの１つを操作して人感センサーに関連つけたＬＥＤを選択し、つぎに他の手動ボタンにより選択したＬＥＤを消灯することにより、制御部に人感センサーからの信号を入力しないように指示することができるという作用を有する。
【００４０】
以下、本発明の実施の形態について、図面を参照しながら説明する。
【００４１】
（実施の形態１）
図１〜図５に示すように、本体１内を貫通する通風路２の吸気側に吸込口３を設け、通風路２内に浄化フィルター４および遠心送風機５を配し、遠心送風機５の吐出側で、かつ本体１の天面側に吹出口６を設けている。空気中の汚れを検知する汚れセンサー７は室内の埃の汚れ度合いを検知する埃センサー７ａ、または気体の汚れ度合いを検知する臭いセンサー７ｂからなり、制御部８は汚れセンサー７の検出値に応じて遠心送風機５の運転を制御するものである。
【００４２】
また制御部８に複数のスイッチ素子を備えたスイッチ操作部９を設け、このスイッチ操作部９は、本体１の天面に露出して設けたワンボタン部１０と、このワンボタン部１０に隣接して設けた手動運転時に使用する複数の手動ボタン部１１により操作される。ワンボタン部１０は自動運転、手動運転および運転停止を切り換え操作するものであり、手動ボタン部１１は開閉可能な透明または半透明なスイッチカバー１２で覆われている。      
【００４３】
また、制御部８に操作状況または運転状況を表示する複数のＬＥＤ１３を設け、このＬＥＤ１３をスイッチカバー１２の下方に配置し、スイッチカバー１２にはＬＥＤ１３の点灯が視認しやすいスモーク加工またはシルクルーフミラーなどの表面処理を施している。
【００４４】
また、ワンボタン部１０の操作により、制御部８は自動運転、手動運転および運転停止の順に運転モードを切り換え可能とするとともに、スイッチカバー１２の下方に設けた自動運転ＬＥＤ１３ａの点灯または消灯表示により、切り換えた運転モードを確認可能としている。
【００４５】
また、スイッチカバー１２の開閉検出手段としてリミットスイッチ１２ａを設けて、手動運転時にスイッチカバー１２の開閉を検出しているが、リミットスイッチ１２ａによりスイッチカバー１２の開閉が検出されることなくワンボタン部１０が繰り返し操作された場合に、制御部８は遠心送風機５を停止する構成としている。
【００４６】
上記構成により、本体１天面にワンボタン部１０を備え、ワンボタン部１０で自動運転・手動運転・運転停止の複数の切換操作を行なうことができるものであり、使用者が自動運転を選択するときは、汚れセンサー７の検知するレベルに応じて、制御部８が遠心送風機５を制御して風量を変化することができる。また使用者が手動運転を選択するときは、ワンボタン部１０で手動運転を選択したあと、スイッチカバー１２を開いて複数の手動ボタン部１１を操作することにより、遠心送風機５の風量を変化することができる。
【００４７】
このように本体１の天面に認知しやすい大型のワンボタン部１０を設けることにより、使用者が最初の操作に迷いやミスをすることがなく、自動運転や手動運転などの切り換え操作を簡単かつ確実に行なうことができる。さらに手動運転のときのみ、スイッチカバー１２を開いて複数の手動ボタン部１１を操作する手順としているので、使用頻度の少ない手動運転の操作が、煩雑に行なわれなようにできるとともに、透明または半透明なスイッチカバー１２を開ければ手動ボタン部１１の操作ができることを目視確認できるものである。
【００４８】
また、本体１天面のスイッチ操作部９を簡素化することにより、すっきりしたデザインの外観形状を実現し、室内のインテリアに相応した空気清浄機を提供することができる。
【００４９】
また、収納操作部を覆う透明なスイッチカバー１２に、スモーク加工またはシルクルーフミラーなどの表面処理を施すことにより、スイッチカバー１２が室内照明などの反射を防止することとなり、外光の影響が及ばないようにして、スイッチカバー１２の下方に配置されたＬＥＤ１３の発光を、使用者がそのまま目視確認することができるので、空気清浄機の運転状況を正確に把握することができる。また手動運転を選択した場合に、スイッチカバー１２を開いて手動ボタン部１１を操作するときに、手動ボタン部１１に近接してＬＥＤ１３が配置されるので、スイッチカバーに邪魔されずに、ＬＥＤ１３の点灯を確認しながら手動ボタン部１１を操作することができる。
【００５０】
また、ワンボタン部１０の操作により、自動運転が選択されたときは、スイッチカバー１２の下方に設けた自動運転ＬＥＤ１３ａが点灯し、汚れセンサー７の検出値に応じて遠心送風機５の風量を自動的に変更することができるとともに、手動運転が選択されたときは自動運転ＬＥＤ１３ａが消灯し、スイッチカバー１２を開いて複数のスイッチ操作部９を使用することによって目的の風量に調整できるものであり、用途に応じた運転が自動運転ＬＥＤ１３ａを確認しながら的確に選択することができる。
【００５１】
また、ワンボタン部１０の操作により手動運転が選択されたときは、スイッチカバー１２を開いて手動ボタン部１１を操作したあとスイッチカバー１２を閉じるのが正規の手順であるが、スイッチカバー１２が開閉されずにワンボタン部１０が繰り返し操作されるような不正規の使用が繰り返し行なわれた場合は、遠心送風機５がオンオフを繰り返すような不正規な使用状況となる。しかし、このとき制御部８は、図５に示すように、スイッチカバー１２の開閉検出手段として設けたリミットスイッチ１２ａのオンオフ信号がないのに、ワンボタン部１０の発生頻度Ｎが、設定した所定時間内の最大頻度Ｎｍａｘ以上であると判断して、遠心送風機５の運転を即座に停止する。このように、子供の悪戯などで起こるワンボタン部１０の異常な繰り返し使用を回避することにより、空気清浄機が故障しないように自動的に保護することができる。
【００５２】
（実施の形態２）
図１〜図４および図６に示すように、運転モードを自動運転としている場合に、ワンボタン部１０の操作により手動運転に切り換えたときは、自動運転中の遠心送風機５の風量を大小逆に切り換えた手動運転となるものである。
【００５３】
また、自動運転中にワンボタン部１０を長押しすることにより、手動運転に切り換わるとともに遠心送風機５の風量を順送りし、かつＬＥＤ１３も順送りして表示する構成としている。
【００５４】
上記構成により、自動運転中に使用者が手動運転に切り換えるときは、風量が大なる強運転の場合では風量を下げる弱運転を望み、逆に風量が少ない弱運転の場合では風量を上げる強運転に切り換えたいという使用者の意図があるため、ワンボタン部１０の操作により自動運転中に手動運転に切り換えたときは、自動運転中の遠心送風機５の風量を大小逆に切り換えた手動運転の風量状態に切り換わることにより、使用者がスイッチカバー１２を開けて手動ボタン部を操作して風量切り換えをするという手間が不要となり、使い勝手のよい空気清浄機を提供することができる。
【００５５】
また、手動運転時に風量を切り換えるときに、スイッチカバー１２を開けて手動ボタン部１１を操作する必要があるが、自動運転中にワンボタン部１０を長押しすると手動運転に切り換わり、さらに遠心送風機５の風量を順送りするとともにＬＥＤ１３も順送りして表示することにより、手動運転の操作をワンボタン部１０の長押し操作で行なうことができ、上記と同様に使用者の手間を省いた使い勝手のよい空気清浄機を提供することができる。
【００５６】
（実施の形態３）
図１〜図４および図７に示すように、本体１に室内の明るさを検出する光センサー１４を備え、この光センサー１４が夜間の消灯状態を検出したときは、制御部８は汚れセンサー７の検出値に関わらず遠心送風機５を弱運転するようにしている。
【００５７】
また、本体１に人の存在を赤外線で検出する人感センサー１５を備え、汚れセンサー７が汚れを検出している場合で、かつ人感センサー１５で人を検出しないときは、遠心送風機５の送風量を増やして自動運転するものである。たとえば中ノッチで運転のときは、強ノッチ運転となるように風量を一段階増加して自動運転するようにしている。なお、汚れセンサー７が汚れを検出しなくなると、弱ノッチ運転または運転停止するものである。
【００５８】
また、本体１に複数のセンサーを備え、自動運転中にスイッチカバー１２を開いて手動ボタン部１１を操作することにより、各々のセンサーの検出状態を、ＬＥＤ１３の発光色の違いで表示可能としたものである。
【００５９】
また、自動運転中に手動ボタン部１１を操作することにより、複数のセンサーに関連させた複数のＬＥＤ１３を個々に点灯または消灯させて、各ＬＥＤに対応するセンサーの使用または不使用を選択して運転可能とした構成としている。
【００６０】
上記構成により、睡眠のため照明を消灯したときには、静かな運転が求められるが、室内がさらに汚染されることは少ないので、光センサー１４が夜間の消灯状態を検出したときは、汚れセンサー７の検出値に応じた風量変化をさせずに、弱ノッチの一定風量にて低騒音の運転を行なうことにより、睡眠の妨げにならない静かな運転が自動的にできるものである。
【００６１】
また、汚れセンサー７が汚れを検出して自動運転している場合に、人感センサー１５にて人体から放射する赤外線を検知ないとき、風量を増加して自動運転するようにしている。このとき騒音は大きくなるが室内に人がいないので他への影響はほとんどなく、室内の空気汚れを短時間で浄化することができる。
【００６２】
このように汚れセンサー７にて自動運転している場合に、光センサー１４が夜間の消灯状態を検出したときは、汚れセンサー７の検出値にかかわらず、低騒音の運転を行うことにより、安らかな睡眠ができるとともに、人感センサー１５で人体を検出ないときは、運転中の風量を増加することにより、騒音は大きくなるが使用者への影響はほとんどなく、室内の空気汚れを短時間で浄化することができるものである。
【００６３】
また、本体１に埃センサー７ａ、臭いセンサー７ｂ、光センサー１４、人感センサー１５などの複数のセンサーを備えることにより、室内環境や運転経過に合わせた適正な自動運転が可能となるが、自動運転中に手動ボタン部１１を操作することにより、各々のセンサーの動作状況を複数のＬＥＤ１３で簡易的に表示できるようにしている。すなわち、自動運転中にスイッチカバー１２を開いて、センサーに関連つけた手動ボタンのいずれかを操作することにより、選択したセンサーの検出状態を２色ＬＥＤまたは多色ＬＥＤの発光色の違い（赤、橙、緑など）で表示することができるものであり、室内環境や運転経過に応じたセンサーの検出値の変化を目視確認できるとともに、メンテナンス時などに検出条件を変えた確認作業が、簡単な操作で実施可能となり、また通常運転に使用するＬＥＤ１３を流用して行なうことができるものである。
【００６４】
また、上記と同様に本体に複数のセンサー７，１４，１５を備えている場合に、例えば犬や猫などのペットによる誤動作を防ぐ目的で人感センサー１５が働かないように設定するときは、自動運転中にスイッチカバー１２を開いて、手動ボタン部１１の１つを操作して人感センサー１５に関連つけたＬＥＤ１３ｂを選択し、つぎに手動ボタン部１１の他の１つにより選択したＬＥＤ１３ｂを消灯することにより、制御部８に人感センサー１５からの信号を入力しないように指示することができる。このように自動運転中に手動ボタン部１１の操作により、複数のセンサーをいずれかを選択して、簡易的にセンシング機能を停止することができ、空気清浄機の使用状況や使用者の好みに合わせたセンサーの要否が選択できるので、利便性を向上した自動運転ができる空気清浄機を提供することができることとなる。
【図面の簡単な説明】
【００６５】
【図１】本発明の実施の形態１〜３の空気清浄機の外観斜視図
【図２】同、空気清浄機の分解斜視図
【図３】（イ）同、スイッチ操作部の一部破断の外観斜視図、（ロ）同、スイッチ操作部の平面図
【図４】同、空気清浄機のブロック回路図
【図５】同、実施の形態１の空気清浄機の運転フローを示すフローチャート
【図６】同、実施の形態２の空気清浄機の運転フローを示すフローチャート
【図７】同、実施の形態３の空気清浄機の運転フローを示すフローチャート
【図８】従来の空気清浄機の操作部を示す正面図
【図９】同、空気清浄機の外観斜視図
【符号の説明】
【００６６】
１      本体
２      通風路
３      吸込口
４      浄化フィルター
５      遠心送風機
６      吹出口
７      汚れセンサー
７ａ    埃センサー
７ｂ    臭いセンサー
８      制御部
９      スイッチ操作部
１０    ワンボタン部
１１    手動ボタン部
１２    スイッチカバー
１２ａ  リミットスイッチ（開閉検出手段）
１３    ＬＥＤ
１３ａ  自動運転ＬＥＤ
１４    光センサー
１５    人感センサー
【図１】
2009214026.tif 000003
【図２】
2009214026.tif 000004
【図３】
2009214026.tif 000005
【図４】
2009214026.tif 000006
【図５】
2009214026.tif 000007
【図６】
2009214026.tif 000008
【図７】
2009214026.tif 000009
【図８】
2009214026.tif 000010
【図９】
2009214026.tif 000011